(57)【要約】【課題】フィルター側の平袋体を開封するときに切り取り部分を作らず、コーヒー粉等の被充填物がこぼれたり、指に触れたりすることは無く、しかも操作の簡単な抽出用バッグを提供する。【解決手段】フィルター材５により構成され、二つ折りにされて重ね合わされた三辺側がシール封止された矩形状の平袋体３と、一対の側片部を有するホルダー１５とからなり、フィルター材５は角部分ではその角を頂点とする三角形の底辺をなすように固着ライン４９が形成されてシール封止されている。また、角部分にある二枚のフィルター材５はホルダー１５の一方側の角部にある摘み片４３Ｂに共に固着ライン４９上で固着されており、対向する摘み片４３Ａには固着されていない。従って、シール部分４５を離すときに、フィルター材５は掴み片４３Ｂ側に固着されて残る。【選択図】        図６
2013233363.tif 000002
【特許請求の範囲】
【請求項１】
フィルター材により構成され、二つ折りにされて重ね合わされた三辺側がシール封止された矩形状の平袋体と、一対の側片部を有し、前記側片部が前記平袋体の両外面にそれぞれ被さって固着されたホルダーとを有し、抽出時には前記三辺側のうち隣接する二辺側のシール部分を分離して開封するタイプの抽出用バッグにおいて、
前記ホルダーの一対の側片部は前記平袋体の分離予定側の二辺の間の角部分までそれぞれ被さっており、
前記フィルター材は前記角部分ではその角を頂点とする三角形の底辺をなすようにシールされ、前記角部分をなす二枚のフィルター材は前記ホルダーの一方の側片部に共に固着され、他方の側片部には固着されていないことを特徴とする抽出用バッグ。
【請求項２】
請求項１に記載した抽出用バッグにおいて、ホルダーの一対の側片部には、それぞれ被さった平袋体の角部分側に斜めに折り曲げ線が形成されており、固着部分は前記折り曲げ線より外方に位置することを特徴とする抽出用バッグ。
【請求項３】
請求項２に記載した抽出用バッグにおいて、
平袋体の角部分のうち他方の側片部に対向した側のフィルター材には折り曲げ線に沿って易分離線が形成されていることを特徴とする抽出用バッグ。
【請求項４】
請求項２または３に記載した抽出用バッグにおいて、
折り曲げ線の両側でホルダーに異なる色または模様が付与されて、前記折り曲げ線が視認可能になっていることを特徴とする抽出用バッグ。
【請求項５】
請求項１から４のいずれかに記載した抽出用バッグにおいて、
ホルダーは平袋体の折り曲げ辺に沿って二つ折りされた折り曲げ部を連結部として前記平袋体の両外面上に重なり合う一対の側片部を備えられ、前記一対の側片部には前記折り曲げ部を中心として対称的にそれぞれ２つずつ係止片が設けられ、前記折り曲げ部に近い側で対称をなす一対の係止片の基端部は折り曲げ部を中心として谷状ラインをなしており、前記一対の係止片の間の折り曲げ部が前記平袋体側に押されると、前記一対の係止片が起こされてその間の折り曲げ部が山折り状態から谷折り状態に変わることを特徴とする抽出用バッグ。
【発明の詳細な説明】
【技術分野】
【０００１】
本発明は、コーヒー粉等の抽出に用いる抽出用バッグに係り、詳しくは、濾紙や不織布等からなるフィルター材で構成された平袋体と、その平袋体を支持するホルダーを備え、使用時にはそのホルダーをコーヒーカップの開口縁に設置して抽出したものをコーヒーカップ内に滴下する「サイドフックタイプ」の抽出用バッグに関するものである。
【背景技術】
【０００２】
コーヒー粉の抽出に用いる抽出用バッグには、矩形のフィルター材が二つ折りされ周縁である三辺が重ね合わされ、超音波シールやヒートシール等の手法でその三辺側がシール封止されて扁平な矩形状の平袋体に成形され、その平袋体の中にコーヒーカップ一杯相当分のコーヒー粉が充填されたものがある。サイドフックタイプの場合には、厚紙等により構成されたホルダーが、上記した平袋体の折り曲げ辺に沿って折り曲げられその両外面に被さった状態で重ね合わされており、その一部が固着されている。
かかる抽出用バッグを使用する場合には、平袋体のシール部分を切り開いて開封すると共に、上記したホルダーに設けられた係止片を起こしてコーヒーカップの開口縁に設置する。
【先行技術文献】
【特許文献】
【０００３】
【特許文献１】特開２０１１−７８５３６号公報
【発明の概要】
【発明が解決しようとする課題】
【０００４】
而して、特許文献１に示す抽出用バッグでは、平袋体を開封する際には、最初にその角部分を切り取って開口を形成しているため、その切り取った部分は分離されそのまま置き忘れられがちである。
また、上記した角部分を切り取る際には袋体を傾けて上方から下方に向かって切り取っていくが、コーヒー粉を扁平な平袋体に充填した場合にはコンパクト化を考慮して比較的容積率を大きくする。そのため、袋体の傾け方が大きいと、一杯に充填されたコーヒー粉がその開口からこぼれ出てしまう場合がある。さらに、切り取った部分が予定部分より内方側にずれて開口が想定より大きくなってもコーヒー粉がこぼれ易くなる。加えて、角部分を切り取った後に今度はその両側のシール部分を分離して開口を広げることになるが、その際にその開口縁を指で掴むため、コーヒー粉に触れ易くなる。
さらに、角部分を切り取る動作から袋体の開口を広げる動作に移る際には持ち方を変えなくてはならない。
【０００５】
その一方で、特許文献１に示すタイプの抽出用バッグでは、矩形の平袋体のシール封止された二辺を分離して大きく開口し、しかも、コーヒーカップに設置したときには、袋体は上方に大きく開口し、残りのシール封止されたままの一辺と折り曲げ辺との間の角部分が底頂部となって錐状形状となる。そのため、湯を注ぐとその湯が袋体内のコーヒー粉に十分にしみ込み、底頂部からコーヒーカップ内に徐々に滴下することになり、コーヒー粉が十分に抽出されて、コーヒーの美味しさが存分に引き出されることになる。
【０００６】
本発明は、サイドフックタイプの抽出用バッグに関して、特許文献１で示す状態でコーヒーカップへ設置でき、しかも上記した問題点を解消したものを提供することを、その目的とする。
【課題を解決するための手段】
【０００７】
本発明は、上記目的を達成するために、請求項１の発明は、フィルター材により構成され、二つ折りにされて重ね合わされた三辺側がシール封止された矩形状の平袋体と、一対の側片部を有し、前記側片部が前記平袋体の両外面にそれぞれ被さって固着されたホルダーとを有し、抽出時には前記三辺側のうち隣接する二辺側のシール部分を分離して開封するタイプの抽出用バッグにおいて、前記ホルダーの一対の側片部は前記平袋体の分離予定側の二辺の間の角部分までそれぞれ被さっており、前記フィルター材は前記角部分ではその角を頂点とする三角形の底辺をなすようにシールされ、前記角部分をなす二枚のフィルター材は前記ホルダーの一方の側片部に共に固着され、他方の側片部には固着されていないことを特徴とする抽出用バッグである。
【０００８】
請求項２の発明は、請求項１に記載した抽出用バッグにおいて、ホルダーの一対の側片部には、それぞれ被さった平袋体の角部分側に斜めに折り曲げ線が形成されており、固着部分は前記折り曲げ線より外方に位置することを特徴とする抽出用バッグである。
【０００９】
請求項３の発明は、請求項２に記載した抽出用バッグにおいて、平袋体の角部分のうち他方の側片部に対向した側のフィルター材には折り曲げ線に沿って易分離線が形成されていることを特徴とする抽出用バッグである。
【００１０】
請求項４の発明は、請求項２または３に記載した抽出用バッグにおいて、折り曲げ線の両側でホルダーに異なる色または模様が付与されて、前記折り曲げ線が視認可能になっていることを特徴とする抽出用バッグである。
【００１１】
請求項５の発明は、請求項１から４のいずれかに記載した抽出用バッグにおいて、ホルダーは平袋体の折り曲げ辺に沿って二つ折りされた折り曲げ部を連結部として前記平袋体の両外面上に重なり合う一対の側片部を備えられ、前記一対の側片部には前記折り曲げ部を中心として対称的にそれぞれ２つずつ係止片が設けられ、前記折り曲げ部に近い側で対称をなす一対の係止片の基端部は折り曲げ部を中心として谷状ラインをなしており、前記一対の係止片の間の折り曲げ部が前記平袋体側に押されると、前記一対の係止片が起こされてその間の折り曲げ部が山折り状態から谷折り状態に変わることを特徴とする抽出用バッグである。
【発明の効果】
【００１２】
本発明の抽出用バッグによれば、フィルター側の平袋体を開封するときに切り取り部分を作らず、特許文献１で切り取り部分となっていた部分を掴み片として利用できるので、切り取った部分を置き忘れたり、コーヒー粉等の被充填物がこぼれたり、指に触れたりすることは無く、しかも持ち方をさほど変えずにコーヒーカップに設置できるので操作も簡単である。
【図面の簡単な説明】
【００１３】
【図１】本発明の実施の形態に係る抽出用バッグの側面図である。
【図２】図１の抽出用バッグの平袋体のシール部を分離して展開した上面図である。
【図３】図２の裏面図である。
【図４】図１の抽出用バッグを開封して開口し始めた状態を示す説明図である。
【図５】図４に続いて開口途中の状態を示す説明図である。
【図６】図５に続いて完全に開口した状態を示す説明図である。
【図７】図６から係止片を起こした状態を示す斜視図である。
【図８】図５の抽出用バッグをコーヒーカップに設置した状態を示す斜視図である。
【発明を実施するための形態】
【００１４】
本発明の実施の形態に係る抽出用バッグを図面にしたがって説明する。ここでは、コーヒー粉を抽出するための抽出用バッグを例示する。
図１は、抽出用バッグ１をその一側面側から見た図である。抽出用バッグ１は、濾紙や不織布等からなるフィルター材で構成された平袋体３と、この平袋体３が開封されて立体状になった状態を支持しながらコーヒーカップの開口縁に設置して係止させるためのホルダー１５とを有している。
平袋体３は、矩形のフィルター材５が二つ折りされ、重ね合った周縁部分である三辺７、９、１１（上辺、側辺、下辺）側が超音波シール等の手段でシール封止されて製袋化されたものであり、扁平な矩形状となっている。この平袋体３内にコーヒー粉Ｐが充填されている。
【００１５】
ホルダー１５は厚紙やコート紙等で形成されており、平袋体３の折り曲げ辺である一側辺１３に沿って折り曲げられ、平袋体３の両外面に被さって固着されて一体化されている。
図２に示すように、ホルダー１５は、ミシン目が形成された折り曲げ部１７を中心として左右対称形を為しており、該折り曲げ部１７を連結部として平袋体３の両外面に一対の側片部１９Ａ、１９Ｂがそれぞれ重なり合っている。折り曲げ部１７は平袋体３の一側辺１３に沿って山状に折り曲げられている。
【００１６】
ホルダー１５は、全体としては横長の長方形で、角部は丸められており、下縁側の中間部分は、折り曲げ部１７を中心線として上方に向かって円錐形の山を描くように大きく切り込まれて欠けており、切り込み縁２１が形成されている。また、その山状を描く切り込み縁２１の左右両側のふもと付近にはそれぞれ左右上方に向かって小さく切り込まれて穴部２２Ａ、２２Ｂが形成されている。
【００１７】
左側の側片部１９Ａでは、羽状を描く切れ目２３Ａ、連続部２５Ａ、切れ目２７Ａ、連続部２９Ａ、及び切れ目３１Ａで囲まれた部分が形成されており、その部分が折り曲げ部１７に近い側の第１係止片３３Ａになっている。右側の側片部１９Ｂにも対称的に切れ目２３Ｂ、連続部２５Ｂ、切れ目２７Ｂ、連続部２９Ｂ、及び切れ目３１Ｂで囲まれた部分が形成されており、その部分が折り曲げ部１７に近い側の第１係止片３３Ｂになっている。切れ目２３Ａと切れ目２３Ｂは折り曲げ部１７で連続し、切れ目３１Ａと切れ目３１Ｂも折り曲げ部１７で連続している。
連続部２５Ａ、切れ目２７Ａ、連続部２９Ａ、及び切れ目３１Ａは直線状をなし、連続部２５Ｂ、切れ目２７Ｂ、連続部２９Ｂ、及び切れ目３１Ｂも直線状をなしている。この二つの直線は僅かに傾斜しており、折り曲げ部１７を底頂部とする谷状ラインを描いている。この谷状ラインが第１係止片３３Ａ、３３Ｂが起きる際の基端部３２となる。
【００１８】
第１係止片３３Ａ、３３Ｂの上側には、「ハ」の字をなす一対の切れ目３５Ａ、３５Ｂがそれぞれ形成されている。
【００１９】
側片部１９Ａでは、切れ目２３Ａの左側外方から下方に伸びて下端に至る切れ目３７Ａが形成されており、それと上記した切り込み縁２１の左側部分である傾斜縁とで囲まれた部分が第２係止片３９Ａになっている。右側の側片部１９Ｂにも対称的に切れ目３７Ｂが形成されており、それと上記した切り込み縁２１の右側部分である傾斜縁とで囲まれた部分が第２係止片３９Ｂになっている。
【００２０】
ホルダー１５の側片部１９Ａには折り曲げ線４１Ａが形成されている。この折り曲げ線４１Ａは傾斜しており、丸みの付いた角部を頂点とする三角形の底辺を描くように延びてその両端に至っている。この三角形部分を掴み片４３Ａとする。視認の便宜のために、描画が省略されているが、その折り曲げ線４１Ａの両側ではホルダー１５が異なる色で着色されており、折り曲げ線４１Ａの位置が視認できるようになっている。
ホルダー１５の側片部１９Ｂにも対称的に同様な折り曲げ線４１Ｂが形成されて、三角形部分の掴み片４３Ｂが画定されている。
【００２１】
次に、平袋体３のフィルター材５どうしのシール状態と、ホルダー１５のフィルター材５への固着状態を説明する。
図３の裏面図に示すように、フィルター材５どうしのシール部分４５は、辺に沿ってライン状に延びており、フィルター材５が折り曲げ部１７を中心として二つ折りされると左右両側が重なり合ってシール封止されて平袋体３が完成するようになっている。
また、フィルター材５の一方側には角部分を三角形の頂点とする底面を描くように直線状にミシン目４７が形成されている。このミシン目４７より外方側にくるフィルター材５を特に三角形部分５Ｂとする。このミシン目４７は折り曲げ線４１Ｂに沿って、その僅かに外方で平行に延びている。
【００２２】
ホルダー１５はその上辺と左右両側辺とが、フィルター材５の上辺７と左右両側辺９と下辺１１にそれぞれ平行になるように重ね合わされ、フィルター材５のミシン目４７上に上記した折り曲げ線４１Ｂがくるように位置合わせされている。ホルダー１５の側片部１９Ｂは、このフィルター材５の三角形部分５Ｂ上まで被さっている。また、ホルダー１５は折り曲げ部１７を中心線として対称になっているので、側片部１９Ａ側の角部分がフィルター材５の対応する三角形部分上まで及んでいる。
ホルダー１５は、第２係止片３９Ａ、３９Ｂの起こす部分をその周縁に沿ってその僅か内方側に固着ライン４９が形成されてフィルター材５に対して固着されている。但し、折り曲げ線４１Ａ、４１Ｂ側ではその僅か内方側に固着ライン４９が形成されている。この固着ライン４９は直線状を為し、角部分を頂点とする三角形の底辺を描いている。
【００２３】
また、第１係止片３３Ａと第１係止片３３Ｂとの間では折り曲げ部１７を中心として逆三角形状に固着領域５１が形成され、その上側では「ハ」の字状切れ目３５Ａ、３５Ｂの間に固着領域５３が形成されている。
【００２４】
折り曲げ線４１Ａより外方にある掴み片４３Ａには、その内方側にほぼ相似の三角形を描く特別な固着ライン５５が形成されている。この固着ライン５５により、ホルダー１５の側片部１９Ｂ側の三角形部分５Ｂが、平袋体３としたときに重なり合う側片部１９Ａ側の角部分と共にホルダー１５の掴み片４３Ａ側に固着されている。一方、掴み片４３Ｂ側には固着されていない。従って、ホルダー１５の側片部１９Ｂ側にあるフィルター材５のミシン目４７を切れば、フィルター材５の三角形部分５Ｂは側片部１９Ａ側に固着された状態を維持しながら、側片部１９Ｂ側からは分離することになる。
【００２５】
次に、コーヒーカップＣへの設置動作を説明する。
図４に示すように、抽出用バッグ１のホルダー１５の掴み片４３Ａ、４３Ｂをそれぞれ両側の手の親指と人差し指との間に挟んで摘む。その際、フィルター材５の三角形部分５Ａは掴み片４３Ｂ側に一体に固着されているので、掴み片４３Ｂと共に摘むことになる。そして、折り曲げ線４１Ａ、４１Ｂを横にした状態で掴み片４３Ａと摘み片４３Ｂとを互いに離間する方向にそれぞれ引張る。すると、ミシン目４７が切れ、さらにその下側にあるシート部分４５が分離して開口５７ができ、平袋体３が開封されていく。
【００２６】
さらに、掴み片４３Ａと掴み片４３Ｂを引張ると、図５に示すように、フィルター材５の上辺７と側辺９（図１）側のシール部分４５が分離され、開口５７が拡大していく。
上辺７と側辺９側のシール部分４５が完全に分離すると、図６に示すように大きく開口して、充填されていたコーヒー粉Ｐが露出する。
【００２７】
この状態で、図７に示すように、どちらの片方の手の中指でホルダー１５の第１係止片３３Ａ、３３Ｂとその上側の「ハ」の字状切れ目３５Ａ、３５Ｂとの間で、折り曲げ部１７を袋体３側に向けて押す。すると、第１係止片３３Ａと第１係止片３３Ｂとの間の折り曲げ部１７が山折り状態から略平らであるが若干谷折り状態に変えられ、第１係止片３３Ａ、３３Ｂがそれぞれ起き上がり、その基端部３２でその余のホルダー１５と繋がった状態となる。基端部３２でも谷折り状態になるので、指を離しても、第１係止片３３Ａ、３３Ｂが安定的に起き上がった状態が維持される。
第１係止片３３Ａ、３３Ｂ側が起き上がると、開口５７はさらに大きく拡がる。
【００２８】
この状態にした後に、第１係止片３３Ａ、３３ＢをコーヒーカップＣの開口縁に置くと共に、第２係止片３９Ａ、３９Ｂを起こして、その穴部２２ＢをコーヒーカップＣの開口縁の間に掛ける。これで設置が完了する。
上記したように、ミシン目４７で切り離された三角形部分５Ｂは掴み片４３Ａに固着されており、小さいゴミ片が出てことはない。
また、開口５７を形成しそれを拡げる動作および第１係止片３３Ａ、３３Ｂを起こす動作を、掴み片４３Ａ、４３Ｂを摘みながらそのまま連続して行えるので操作が簡単である。
さらに、開口５７が上を向いて状態でシール部分が分離されるので、コーヒー粉Ｐがこぼれることはない。
【００２９】
図８は、図６に示す抽出用バッグ１をコーヒーカップＣに設置した状態を示している。
図面上表示されないが、コーヒーカップＣの図中奥側にも一対の第２係止片３９Ａ、３９Ｂがあり、合計で四つの係止片でコーヒーカップＣに設置されていることになり、抽出用バッグ１はコーヒーカップＣに安定的に立体状に設置される。
【００３０】
以上、本発明の実施の形態について詳述してきたが、具体的構成は、この実施の形態に限られるものではなく、本発明の要旨を逸脱しない範囲における設計の変更などがあっても発明に含まれる。
上記実施形態では、ドリップコーヒー用の抽出用バッグを例示したが、紅茶やハーブティーなどの抽出用バッグとしても同様に実施することができる。
【産業上の利用可能性】
【００３１】
本発明の抽出用バッグは製袋充填装置にかけて被充填物を充填しながら製袋できる。
【符号の説明】
【００３２】
１……抽出用バッグ                ３……平袋体
５……フィルター材                ５Ｂ……フィルター材の三角形部分
７、９、１１……フィルター材の周縁のシール封止辺
１３……フィルター材の折り曲げ辺
１５……ホルダー                  １７……折り曲げ部
１９Ａ、１９Ｂ……一対の側片部
２１……切り込み縁                ２２Ａ、２２Ｂ……穴部
２３Ａ、２３Ｂ……切れ目          ２５Ａ、２５Ｂ……連続部
２７Ａ、２７Ｂ……切れ目          ２９Ａ、２９Ｂ……連続部
３１Ａ、３１Ｂ……切れ目          ３２……基端部 
３３Ａ、３３Ｂ……第１係止片      ３５Ａ、３５Ｂ……「ハ」の字状切れ目
３７Ａ、３７Ｂ……切れ目          ３９Ａ、３９Ｂ……一対の第２係止片
４１Ａ、４１Ｂ……折り曲げ線      ４３Ａ、４３Ｂ……掴み片
４５……シール部分                ４７……ミシン目
４９……固着ライン                ５１、５３…固着領域
Ｐ……コーヒー粉                  Ｃ……コーヒーカップ
【図１】
2013233363.tif 000003
【図２】
2013233363.tif 000004
【図３】
2013233363.tif 000005
【図４】
2013233363.tif 000006
【図５】
2013233363.tif 000007
【図６】
2013233363.tif 000008
【図７】
2013233363.tif 000009
【図８】
2013233363.tif 000010